(57)【要約】【課題】媒体の搬送不良を好適に解消できる記録装置を提供すること。【解決手段】記録装置１１は、筐体１２と、筐体内に設けられ、用紙Ｐが搬送される搬送経路１５と、筐体内に設けられ、搬送経路を搬送される用紙にインクを吐出することで記録を行う記録ヘッド１７と、記録ヘッドを搭載し、走査方向に往復移動可能なキャリッジ２４と、インクを収容可能な液体収容体と、液体収容体と記録ヘッドとを接続するチューブ２６と、搬送方向において下流側となる筐体の前面に開口し、記録ヘッドにより記録を行われた媒体が筐体内から筐体外へ排出される排出口２２と、筐体内の天井部分１２ａに取り付けられ、チューブの一部を筐体に固定するクランプ部材３０と、を備え、チューブは、キャリッジの移動に伴って形成位置が変位される湾曲部３１を有し、湾曲部は、筐体内で水平な面に沿って湾曲する。【選択図】図４
2017121739.tif 000002
【特許請求の範囲】
【請求項１】
筐体と、
前記筐体内に設けられ、媒体が搬送される搬送経路と、
前記筐体内に設けられ、前記搬送経路を搬送される前記媒体に液体を吐出することで記録を行う記録ヘッドと、
前記記録ヘッドを搭載し、前記搬送経路を搬送される前記媒体の搬送方向と交差する走査方向に往復移動可能なキャリッジと、
前記記録ヘッドに供給される液体を収容可能な液体収容体と、
前記液体収容体と前記記録ヘッドとを接続するチューブと、
前記搬送方向において下流側となる前記筐体の前面に開口し、前記記録ヘッドにより記録を行われた前記媒体が前記筐体内から前記筐体外へ排出される排出口と、
前記筐体内の天井部分に取り付けられ、前記チューブの一部を前記筐体に固定する固定部材と、を備え、
前記チューブは、前記キャリッジの移動に伴って形成位置が変位される湾曲部を有し、
前記湾曲部は、前記筐体内で水平な面に沿って湾曲することを特徴とする記録装置。
【請求項２】
筐体と、
前記筐体内に設けられ、媒体が搬送される搬送経路と、
前記筐体内に設けられ、前記搬送経路を搬送される前記媒体に液体を吐出することで記録を行う記録ヘッドと、
前記記録ヘッドを搭載し、前記搬送経路を搬送される前記媒体の搬送方向と交差する走査方向に往復移動可能なキャリッジと、
前記記録ヘッドに供給される液体を収容可能な液体収容体と、
前記液体収容体と前記記録ヘッドとを接続するチューブと、
前記搬送方向において下流側となる前記筐体の前面に開口し、前記記録ヘッドにより記録を行われた前記媒体が前記筐体内から前記筐体外へ排出される排出口と、
前記筐体内の天井部分から下方に突出する突出部と、
前記突出部に取り付けられ、前記チューブの一部を前記筐体に固定する固定部材と、を備え、
前記チューブは、前記キャリッジの移動に伴って形成位置が変位される湾曲部を有し、
前記湾曲部は、前記筐体内で水平な面に沿って湾曲することを特徴とする記録装置。
【請求項３】
筐体と、
前記筐体内に設けられ、媒体が搬送される搬送経路と、
前記筐体内に設けられ、前記搬送経路を搬送される前記媒体に液体を吐出することで記録を行う記録ヘッドと、
前記記録ヘッドを搭載し、前記搬送経路を搬送される前記媒体の搬送方向と交差する走査方向に往復移動可能なキャリッジと、
前記記録ヘッドに供給される液体を収容可能な液体収容体と、
前記液体収容体と前記記録ヘッドとを接続するチューブと、
前記搬送方向において下流側となる前記筐体の前面に開口し、前記記録ヘッドにより記録を行われた前記媒体が前記筐体内から前記筐体外へ排出される排出口と、
前記排出口より上部に設けられ、少なくとも前記チューブの一部を前面側から保護するチューブ保護部材と、
前記チューブ保護部材の背面に取り付けられ、前記チューブの一部を前記筐体に固定する固定部材と、を備え、
前記チューブは、前記キャリッジの移動に伴って形成位置が変位される湾曲部を有し、
前記湾曲部は、前記筐体内で水平な面に沿って湾曲することを特徴とする記録装置。
【請求項４】
前記液体収容体は、前記筐体内の隅角に配置されていることを特徴とする請求項１乃至請求項３のうち何れか一項に記載の記録装置。
【請求項５】
前記液体収容体は前記筐体外に設けられ、前記チューブは、前記排出口を介して前記液体収容体と前記記録ヘッドとを接続していることを特徴とする請求項１乃至請求項３のうち何れか一項に記載の記録装置。
【請求項６】
前記液体収容体は前記筐体外に設けられ、前記チューブは、前記筐体の内外を貫く貫通孔を介して前記液体収容体と前記記録ヘッドとを接続していることを特徴とする請求項１乃至請求項３のうち何れか一項に記載の記録装置。
【請求項７】
前記チューブは、複数の流路を有する多連チューブで構成されていることを特徴とする請求項１乃至請求項６のうち何れか一項に記載の記録装置。
【請求項８】
前記筐体の上部には画像を読取可能な画像読取部が載置され、前記画像読取部は、前記筐体と固定され、前記画像読取部の底面は、前記筐体の天井部分を兼ねていることを特徴とする請求項１乃至請求項７のうち何れか一項に記載の記録装置。
【請求項９】
前記排出口は、前記搬送経路において前記媒体の搬送不良が生じた際に、当該媒体の搬送不良を解消するための開口であることを特徴とする請求項１乃至請求項８のうち何れか一項に記載の記録装置。
【発明の詳細な説明】
【技術分野】
【０００１】
本発明は、例えばインクジェット式プリンターなどの記録装置に関する。
【背景技術】
【０００２】
従来から、液体の一例であるインクを収容する液体収容体と、チューブを介して液体収容体と接続される記録ヘッドとを備え、搬送経路に沿って搬送される媒体に対して記録ヘッドから液体を吐出することで記録を行うインクジェット式のプリンターが知られている。このようなプリンターにおいては、搬送経路にて媒体の搬送不良が生じることがある。そこで、特許文献１には、記録が行われた媒体を排出する排出口が形成された筐体の前面側に、搬送不良の生じた媒体を除去可能な開口部を備える記録装置が記載されている。
【先行技術文献】
【特許文献】
【０００３】
【特許文献１】特開２０１２−１７９７３０号公報
【発明の概要】
【発明が解決しようとする課題】
【０００４】
ところで、特許文献１の記録装置は、液体収容体と記録ヘッドとを接続するチューブが、筐体内において開口部と搬送経路との間に配置されているため、搬送不良を生じた媒体を引き出して除去する際に、チューブが邪魔になる虞がある。
【０００５】
本発明は、上記実情に鑑みてなされたものであり、その目的は、媒体の搬送不良を好適に解消できる記録装置を提供することにある。
【課題を解決するための手段】
【０００６】
以下、上記課題を解決するための手段及びその作用効果について記載する。
上記課題を解決する記録装置は、筐体と、前記筐体内に設けられ、媒体が搬送される搬送経路と、前記筐体内に設けられ、前記搬送経路を搬送される前記媒体に液体を吐出することで記録を行う記録ヘッドと、前記記録ヘッドを搭載し、前記搬送経路を搬送される前記媒体の搬送方向と交差する走査方向に往復移動可能なキャリッジと、前記記録ヘッドに供給される液体を収容可能な液体収容体と、前記液体収容体と前記記録ヘッドとを接続するチューブと、前記搬送方向において下流側となる前記筐体の前面に開口し、前記記録ヘッドにより記録を行われた前記媒体が前記筐体内から前記筐体外へ排出される排出口と、前記筐体内の天井部分に取り付けられ、前記チューブの一部を前記筐体に固定する固定部材と、を備え、前記チューブは、前記キャリッジの移動に伴って形成位置が変位される湾曲部を有し、前記湾曲部は、前記筐体内で水平な面に沿って湾曲する。
【０００７】
この構成によれば、チューブは筐体内の天井部分に取り付けられた固定部材により一部が筐体に固定されるため、筐体内でチューブが下方に垂れ下がってしまう虞が低減される。また、チューブが筐体内で水平な面に沿って湾曲する構成とすることで、鉛直方向に沿う面に沿って湾曲する構成と比較して、チューブが下方に垂れ下がってしまう虞が低減される。すなわち、搬送経路において搬送不良を生じた箇所と排出口との間にチューブが位置してしまう虞が低減されるため、例えば搬送経路にて搬送不良を生じた媒体を排出口から引き出す構成において、媒体を除去する際にチューブが邪魔になる虞が低減される。したがって、媒体の搬送不良を好適に解消できる。
【０００８】
また、上記課題を解決する記録装置は、筐体と、前記筐体内に設けられ、媒体が搬送される搬送経路と、前記筐体内に設けられ、前記搬送経路を搬送される前記媒体に液体を吐出することで記録を行う記録ヘッドと、前記記録ヘッドを搭載し、前記搬送経路を搬送される前記媒体の搬送方向と交差する走査方向に往復移動可能なキャリッジと、前記記録ヘッドに供給される液体を収容可能な液体収容体と、前記液体収容体と前記記録ヘッドとを接続するチューブと、前記搬送方向において下流側となる前記筐体の前面に開口し、前記記録ヘッドにより記録を行われた前記媒体が前記筐体内から前記筐体外へ排出される排出口と、前記筐体内の天井部分から下方に突出する突出部と、前記突出部に取り付けられ、前記チューブの一部を前記筐体に固定する固定部材と、を備え、前記チューブは、前記キャリッジの移動に伴って形成位置が変位される湾曲部を有し、前記湾曲部は、前記筐体内で水平な面に沿って湾曲する。
【０００９】
この構成によれば、チューブは筐体内の天井部分から下方に突出した突出部に取り付けられた固定部材により一部が筐体に固定されるため、筐体内でチューブが下方に垂れ下がってしまう虞が低減される。また、チューブが筐体内で水平な面に沿って湾曲可能な構成とすることで、鉛直方向に沿う面に沿って湾曲する構成と比較して、チューブが下方に垂れ下がってしまう虞が低減される。すなわち、搬送経路において搬送不良を生じた箇所と排出口との間にチューブが位置してしまう虞が低減されるため、例えば搬送経路にて搬送不良を生じた媒体を排出口から引き出す構成において、媒体を除去する際にチューブが邪魔になる虞が低減される。したがって、媒体の搬送不良を好適に解消できる。
【００１０】
また、上記課題を解決する記録装置は、筐体と、前記筐体内に設けられ、媒体が搬送される搬送経路と、前記筐体内に設けられ、前記搬送経路を搬送される前記媒体に液体を吐出することで記録を行う記録ヘッドと、前記記録ヘッドを搭載し、前記搬送経路を搬送される前記媒体の搬送方向と交差する走査方向に往復移動可能なキャリッジと、前記記録ヘッドに供給される液体を収容可能な液体収容体と、前記液体収容体と前記記録ヘッドとを接続するチューブと、前記搬送方向において下流側となる前記筐体の前面に開口し、前記記録ヘッドにより記録を行われた前記媒体が前記筐体内から前記筐体外へ排出される排出口と、前記排出口より上部に設けられ、少なくとも前記チューブの一部を前面側から保護するチューブ保護部材と、前記チューブ保護部材の背面に取り付けられ、前記チューブの一部を前記筐体に固定する固定部材と、を備え、前記チューブは、前記キャリッジの移動に伴って形成位置が変位される湾曲部を有し、前記湾曲部は、前記筐体内で水平な面に沿って湾曲する。
【００１１】
この構成によれば、チューブは排出口の上部に設けられたチューブ保護部材の背面に取り付けられた固定部材により一部が筐体に固定されるため、筐体内でチューブが下方に垂れ下がってしまう虞が低減される。また、チューブが筐体内で水平な面に沿って湾曲する構成とすることで、鉛直方向に沿う面に沿って湾曲する構成と比較して、チューブが下方に垂れ下がってしまう虞が低減される。すなわち、搬送経路において搬送不良を生じた箇所と排出口との間にチューブが位置してしまう虞が低減される。また、例えば搬送経路にて搬送不良を生じた媒体を排出口から引き出す構成の場合、チューブ保護部材によりチューブを保護することで、媒体を除去する際にユーザーの手にチューブが干渉する虞が低減される。したがって、媒体の搬送不良を好適に解消できる。
【００１２】
上記記録装置において、前記液体収容体は、前記筐体内の隅角に配置されていることが好ましい。
この構成によれば、例えば、液体収容体がその内部に液体を注入可能に設けられる場合、隅角に配置することで液体を注入し易くできる。
【００１３】
上記記録装置において、前記液体収容体は前記筐体外に設けられ、前記チューブは、前記排出口を介して前記液体収容体と前記記録ヘッドとを接続していることが好ましい。
この構成によれば、筐体に別途新たな開口を設けることなく、筐体外に位置する液体収容体と筐体内に位置する記録ヘッドとを接続できる。
【００１４】
上記記録装置において、前記液体収容体は前記筐体外に設けられ、前記チューブは、前記筐体の内外を貫く貫通孔を介して前記液体収容体と前記記録ヘッドとを接続していることが好ましい。
【００１５】
この構成によれば、排出口を介して接続する構成と比較して、排出口から排出される媒体がチューブに引っかかってしまい搬送不良を生じてしまう虞を低減できる。
上記記録装置において、前記チューブは、複数の流路を有する多連チューブで構成されていることが好ましい。
【００１６】
この構成によれば、複数のチューブを独立して引き揃える構成と比較して製造コストを低減できる。
上記記録装置において、前記筐体の上部には画像を読取可能な画像読取部が載置され、前記画像読取部は、前記筐体と固定され、前記画像読取部の底面は、前記筐体の天井部分を兼ねていることが好ましい。
【００１７】
この構成によれば、画像を読み取ることができる。
上記記録装置において、前記排出口は、前記搬送経路において前記媒体の搬送不良が生じた際に、当該媒体の搬送不良を解消するための開口であることが好ましい。
【００１８】
この構成によれば、排出口とは別の開口を別途新たに設けることなく筐体内にアクセス可能となるため、製造コストを低減できる。
【図面の簡単な説明】
【００１９】
【図１】第一実施形態における記録装置の構成を概略的に示す側面図。
【図２】図１における２−２線矢視断面図。
【図３】チューブの断面図。
【図４】搬送経路にて搬送不良を生じた用紙を除去するときの側面図。
【図５】第二実施形態における記録装置の構成を概略的に示す側面図。
【図６】図５における６−６線矢視断面図。
【図７】第三実施形態における記録装置の構成を概略的に示す側面図。
【図８】記録装置の変形例を示す断面図。
【図９】記録装置の他の変形例を示す断面図。
【発明を実施するための形態】
【００２０】
（第一実施形態）
以下、記録装置の第一実施形態として液体の一例であるインクを吐出することで媒体に文字や画像の記録を行うインクジェット式プリンターについて図を参照して説明する。
【００２１】
図１に示すように、記録装置１１は、箱体状の筐体１２と、その上部に重ねて配置される画像読取部１３とを備えている。画像読取部１３は、例えばスキャナーで構成され、載置される原稿の画像を読み取り可能に設けられている。また、この画像読取部１３は、筐体１２と固定され、画像読取部１３の底面が、筐体１２内の天井部分１２ａを兼ねている。そして、この筐体１２内の天井部分１２ａは、水平な面として構成されている。一方、筐体１２内には、媒体の一例である用紙Ｐを下方から支持する支持台１４と、支持台１４の上面を含む搬送経路１５に沿って用紙Ｐを搬送する搬送部１６と、支持台１４に支持される用紙Ｐに対してインクを吐出することで記録を行う記録ヘッド１７が設けられている。
【００２２】
搬送部１６は、図１において左側から右側へ向かう方向を搬送方向として用紙Ｐを搬送する複数のローラー１８を含んで構成されている。ローラー１８は、用紙Ｐを上下で挟み込み、回転駆動することで用紙Ｐを搬送する。また、搬送方向において支持台１４よりも上流側及び下流側となる各位置には、用紙Ｐを下方から支持することで用紙Ｐをガイドする上流側ガイド部１９及び下流側ガイド部２０が設けられている。すなわち、上流側ガイド部１９、下流側ガイド部２０及び支持台１４によって、用紙Ｐが搬送される搬送経路１５が構成されている。
【００２３】
搬送部１６を構成するローラー１８は、搬送方向において、上流側ガイド部１９よりも上流側となる位置、上流側ガイド部１９と支持台１４との間となる位置、支持台１４と下流側ガイド部２０との間となる位置に、それぞれ上下で対をなすように配置されている。また、搬送方向において上流側となる筐体１２の背面には、筐体１２外から筐体１２内へ用紙Ｐが挿入されるための挿入口２１が開口している。一方、搬送方向において下流側となる筐体１２の前面には、筐体１２内から筐体１２外へと用紙Ｐを排出するための排出口２２が開口されている。排出口２２は、画像読取部１３の底面を上縁とするように開口し、挿入口２１よりも大きく設けられている。すなわち、搬送部１６は、筐体１２の背面に開口する挿入口２１から挿入された用紙Ｐを、上流側ガイド部１９、支持台１４及び下流側ガイド部２０で構成される搬送経路１５に沿って搬送し、支持台１４上にて記録ヘッド１７により記録が行われた用紙Ｐを、筐体１２の前面に開口する排出口２２から筐体１２外へと排出する。
【００２４】
図１及び図２に示すように、筐体１２内において支持台１４の上方にはガイド軸２３が用紙Ｐの搬送方向と交差する方向に延びるように設けられ、そのガイド軸２３には記録ヘッド１７を搭載したキャリッジ２４が移動自在に支持されている。すなわち、キャリッジ２４は、ガイド軸２３に沿って往復移動することにより、記録ヘッド１７を用紙Ｐの搬送方向と交差する走査方向に沿って移動させる。記録ヘッド１７は、キャリッジ２４が走査方向に沿って移動することにより、搬送される用紙Ｐの略全域に亘って記録を行うことが可能とされている。
【００２５】
図２において筐体１２の右側の外部には、インクを収容可能な液体収容体２５が配置されている。この液体収容体２５は、可撓性を有するチューブ２６によって、キャリッジ２４に搭載される記録ヘッド１７と接続されている。すなわち、チューブ２６は、液体収容体２５側となる上流側から記録ヘッド１７側となる下流側に向けてインクを供給する。換言すると、液体収容体２５は、記録ヘッド１７に供給されるインクを収容可能に設けられている。また、液体収容体２５と記録ヘッド１７とを接続するチューブ２６は、複数設けられ、それぞれ鉛直方向に並べて引き揃えられている。本実施形態におけるチューブ２６は、四本設けられ、それぞれ異なる色のインクを液体収容体２５から記録ヘッド１７にキャリッジ２４から突出した接続部２４ａを介して供給可能とされている。
【００２６】
図３に示すように、並列に引き揃えられる複数のチューブ２６は、隣り合う互いのチューブ２６同士が一体的に連結されている。すなわち、インクが流れるための流路２７をそれぞれ有するチューブ２６は、一の多連チューブ２８を構成している。多連チューブ２８は、複数の流路２７を有し、複数のチューブ２６を一体的に取り扱い可能に構成されている。
【００２７】
図１及び図２に示すように、図２において右側となる筐体１２の右側面であって且つ筐体１２の前面寄りとなる位置には、筐体１２の内外を貫通する貫通孔２９が設けられている。チューブ２６は、この貫通孔２９を通じて液体収容体２５が設けられる筐体１２外から記録ヘッド１７が設けられる筐体１２内へと延びている。筐体１２内において、筐体１２の前面寄り位置を右側から左側へと延びるチューブ２６は、その途中位置で、固定部材としてのクランプ部材３０により筐体１２に対して固定されている。クランプ部材３０は、筐体１２内の天井部分１２ａとなる画像読取部１３の底面から下方に延びた連結部３０ａに取り付けられ、下流側ガイド部２０の上方にてチューブ２６の一部分を四本まとめて固定するとともに支持している。すなわち、固定部材としてのクランプ部材３０は、筐体１２内の天井部分１２ａに取り付けられているといえる。
【００２８】
そして、チューブ２６において、クランプ部材３０により固定される位置よりも下流側には、チューブ２６の延びる方向が反転されるよう略Ｕ字状に湾曲する湾曲部３１が形成されている。この湾曲部３１により、チューブ２６の延びる方向が、筐体１２の右側から左側へと延びる方向から筐体１２の左側から右側へと延びる方向に変更されている。このとき、湾曲部３１は、筐体１２内の天井部分１２ａである水平な面（天井面）に沿うよう略水平方向に湾曲されている。湾曲部３１により延びる方向が変更されたチューブ２６は、接続部２４ａ及びキャリッジ２４内の流路（図示略）を通じて記録ヘッド１７と接続されている。
【００２９】
なお、チューブ２６は、クランプ部材３０により固定される部分よりも下流側となる部分が、ガイド軸２３に沿うキャリッジ２４の移動に追従して可動する。すなわち、キャリッジ２４の移動に伴い、チューブ２６における湾曲部３１の形成位置が変位される。例えば、図２において二点鎖線で示すように、キャリッジ２４がガイド軸２３に沿って筐体１２の左側から右側となる走査方向の一端側に移動する場合、湾曲部３１の形成位置が、チューブ２６においてクランプ部材３０により固定される部分寄りの位置に変位、すなわち上流側に変位される。
【００３０】
また、筐体１２内には、搬送方向においてガイド軸２３とクランプ部材３０との間となる位置に、画像読取部１３の底面から下方に突出する突出部３２が、走査方向に亘って長尺に設けられている。この突出部３２は、筐体１２の強度を確保するためにリブ状に設けられている。なお、チューブ２６は、この突出部３２の下方を通過して液体収容体２５と記録ヘッド１７とを接続している。すなわち、チューブ２６は、突出部３２よりも下方となる領域を水平な面に沿って可動する。
【００３１】
次に、上記のように構成された記録装置１１の作用について説明する。
一般的に、筐体１２内にて用紙Ｐを搬送して記録を行う記録装置１１において、用紙Ｐが搬送される搬送経路１５の途中にて紙詰まりなどの搬送不良を生じてしまうことが知られている。特に、インクなどの液体を吐出することで記録を行う記録装置１１においては、記録の際に用紙Ｐに水分が含浸されるため用紙Ｐが反り易くなり、搬送方向において記録ヘッド１７よりも下流側となる位置で搬送不良を生じる可能性が高い。そこで、本実施形態における記録装置１１は、筐体１２の前面に開口する排出口２２が、媒体不良を生じた用紙Ｐを除去するために筐体１２外から筐体１２内にアクセス可能な開口とされている。
【００３２】
図４に示すように、用紙Ｐの搬送不良を解除する際には、排出口２２から下流側ガイド部２０とチューブ２６との間を通過するように手を差し入れて、用紙Ｐを除去する。このとき、搬送方向において記録ヘッド１７よりも下流側の領域を引き回されているチューブ２６は、クランプ部材３０により一部が固定されるとともに、筐体１２内の上部で水平な面に沿うように湾曲されて延びているため、記録ヘッド１７と排出口２２との間に垂れ下がる虞が小さい。チューブ２６の垂れ下がりを抑制することで、用紙Ｐを除去する際にチューブ２６が邪魔になってしまう虞が低減されている。
【００３３】
また、本実施形態のように複数のチューブ２６が並列に引き揃えられる場合、チューブ２６の並びを鉛直方向とすることで、略水平方向に（すなわち、水平な面に沿って）湾曲させやすくなる。例えば、チューブ２６の並びを水平方向としてしまうと、略水平方向に湾曲させる際、チューブ２６によって湾曲部３１における曲率が異なるためキャリッジ２４の移動に追従し難くなってしまう。また、チューブ２６の並びを水平方向にした上で、鉛直方向に沿う面に沿って湾曲させる構成とすると、チューブ２６が下方に垂れ下がり易くなる。特に、ガイド軸２３に沿って移動するキャリッジ２４が、走査方向において一端側とは反対の他端側（図２において左側）に位置する場合は、チューブ２６において、クランプ部材３０により支持される部分と湾曲部３１との距離が長くなるため、より下方に垂れ下がり易くなる。
【００３４】
上記第一実施形態によれば、以下のような効果を得ることができる。
（１）チューブ２６は筐体１２内の天井部分１２ａに取り付けられたクランプ部材３０により一部が筐体１２に固定されるため、筐体１２内でチューブ２６が下方に垂れ下がってしまう虞が低減される。また、チューブ２６が筐体１２内の天井部分１２ａを構成する水平な面に沿って湾曲する構成とすることで、鉛直方向に沿う面に沿って湾曲する構成と比較して、チューブ２６が下方に垂れ下がってしまう虞が低減される。すなわち、搬送経路１５において搬送不良を生じた箇所と排出口２２との間にチューブ２６が位置してしまう虞が低減されるため、例えば搬送経路１５にて搬送不良を生じた用紙Ｐを排出口２２から引き出す構成において、用紙Ｐを除去する際にチューブ２６が邪魔になる虞が低減される。したがって、媒体の搬送不良を好適に解消できる。
【００３５】
（２）筐体１２に設けられる貫通孔２９を介して液体収容体２５と記録ヘッド１７とをチューブ２６で接続することで、排出口２２を介して接続する構成と比較して、排出口２２から排出される用紙Ｐがチューブ２６に引っかかってしまい搬送不良を生じてしまう虞を低減できる。
【００３６】
（３）液体収容体２５と記録ヘッド１７とを接続する複数のチューブ２６を多連チューブ２８として構成することで、複数のチューブ２６を独立して引き揃える構成と比較して製造コストを低減できる。
【００３７】
（４）画像読取部１３を備えることで、画像を読み取ることができる。
（５）用紙Ｐが排出される排出口２２が、搬送不良を生じた用紙Ｐを除去するための開口として設けられることで、排出口２２とは別の開口を別途新たに設けることなく筐体１２内にアクセス可能となるため、製造コストを低減できる。
【００３８】
（第二実施形態）
次に、記録装置１１の第二実施形態について説明する。第二実施形態における記録装置１１は、筐体１２内に設けられる突出部３２及びクランプ部材３０の構成が第一実施形態と異なり、その他の構成については第一実施形態と同様である。そのため、同じ構成を備える箇所についてはその説明を省略する。
【００３９】
図５及び図６に示すように、記録装置１１の筐体１２内に画像読取部１３の底面から下方に突出するように設けられる突出部３２は、筐体１２の右側の内側面から筐体１２内の中央となる位置まで延びて設けられている。この突出部３２は走査方向に沿う前面と背面（後面）を有するリブ状の板材である。そして、チューブ２６を筐体１２に対して固定する固定部材としてのクランプ部材３０が、筐体１２内において、突出部３２の前面から延びる連結部３０ａを介して、筐体１２に設けられている。すなわち、貫通孔２９を通じて筐体１２外から筐体１２内を延びるチューブ２６は、突出部３２の前面に沿うように延びている。
【００４０】
チューブ２６において、クランプ部材３０により固定される部分よりも下流側には、チューブ２６の延びる方向が反転されるよう略Ｕ字状に湾曲する湾曲部３１が形成されている。ここで、図５において二点鎖線で示すように、キャリッジ２４がガイド軸２３に沿って筐体１２の右側となる走査方向の一端側に位置する場合、湾曲部３１が、突出部３２の前面及びその反対となる背面に沿うように延びて湾曲されている。すなわち、本実施形態における突出部３２は、キャリッジ２４の移動に伴うチューブ２６の可動を阻害しない長さに設けられている。そして、湾曲部３１により延びる方向が変更されたチューブ２６は、突出部３２の背面に沿って延びた後、接続部２４ａ及びキャリッジ２４内の流路（図示略）を通じて記録ヘッド１７と接続される。
【００４１】
上記第二実施形態によれば、第一実施形態の効果に加えて、以下のような効果を奏する。
（６）チューブ２６は筐体１２内の天井部分１２ａから下方に突出した突出部３２に取り付けられたクランプ部材３０により一部が筐体１２に固定されるため、筐体１２内でチューブ２６が下方に垂れ下がってしまう虞が低減される。また、チューブ２６が筐体１２内の天井部分１２ａを構成する水平な面に沿って湾曲可能な構成とすることで、鉛直方向に沿う面に沿って湾曲する構成と比較して、チューブ２６が下方に垂れ下がってしまう虞が低減される。すなわち、搬送経路１５において搬送不良を生じた箇所と排出口２２との間にチューブ２６が位置してしまう虞が低減されるため、例えば搬送経路１５にて搬送不良を生じた用紙Ｐを排出口２２から引き出す構成において、用紙Ｐを除去する際にチューブ２６が邪魔になる虞が低減される。したがって、媒体の搬送不良を好適に解消できる。
【００４２】
（第三実施形態）
次に、記録装置１１の第三実施形態について説明する。第三実施形態における記録装置１１は、チューブ２６を固定するクランプ部材３０の設けられる位置が第一実施形態と異なり、その他の構成については第一実施形態と同様である。そのため、同じ構成を備える箇所についてはその説明を省略する。
【００４３】
図７に示すように、記録装置１１の筐体１２の前面で排出口２２より上部となる位置には、チューブ２６の一部を筐体１２の前面側から保護するためのチューブ保護部材３３が設けられている。このチューブ保護部材３３は、板状に設けられ、筐体１２の天井部分１２ａである画像読取部１３の底面から筐体１２の前面の一部を構成するように下方に延びている。すなわち、排出口２２の上縁が、チューブ保護部材３３の下縁とされている。そして、チューブ保護部材３３の背面に、チューブ２６を筐体１２に対して固定する固定部材としてのクランプ部材３０が取り付けられている。すなわち、チューブ２６において、湾曲部３１よりも上流側となる部分は、チューブ保護部材３３の背面に沿って延びている。
【００４４】
上記第三実施形態によれば、第一実施形態での効果に加えて、以下のような効果を奏する。
（７）チューブ２６は排出口２２より上部に設けられたチューブ保護部材３３の背面に取り付けられたクランプ部材３０により一部が筐体１２に固定されるため、筐体１２内でチューブ２６が下方に垂れ下がってしまう虞が低減される。また、チューブ２６が筐体１２内の天井部分１２ａを構成する水平な面に沿って湾曲する構成とすることで、鉛直方向に沿う面に沿って湾曲する構成と比較して、チューブ２６が下方に垂れ下がってしまう虞が低減される。すなわち、搬送経路１５において搬送不良を生じた箇所と排出口２２との間にチューブ２６が位置してしまう虞が低減される。また、例えば搬送経路１５にて搬送不良を生じた用紙Ｐを排出口２２から引き出す構成の場合、チューブ保護部材３３によりチューブ２６を保護することで、用紙Ｐを除去する際にユーザーの手にチューブ２６が干渉する虞が低減される。したがって、媒体の搬送不良を好適に解消できる。
【００４５】
なお、上述した第一乃至第三実施形態は以下のように変更してもよい。また、上記各実施形態に対して以下の変更例は、適宜組み合わせてもよい。
・図８に示すように、上記第一実施形態において、筐体１２に貫通孔２９を設けず、排出口２２を介して液体収容体２５と記録ヘッド１７をチューブ２６で接続する構成としてもよい。なお、この構成を第二及び第三実施形態に採用してもよい。
【００４６】
この構成によれば、上記各実施形態での効果に加えて、以下の効果を奏する。
（８）筐体１２に別途新たな開口を設けることなく、筐体１２外に位置する液体収容体２５と筐体１２内に位置する記録ヘッド１７とを接続できる。
【００４７】
・図９に示すように、上記第一実施形態において、液体収容体２５を筐体１２内に配置する構成としてもよい。この変更例における記録装置１１は、筐体１２の前面側且つ走査方向における一端側（図９において右側）となる筐体１２内の隅角に液体収容体２５を備えている。また、筐体１２の背面側となる隅角に配置する構成としてもよい。なお、この構成を第二及び第三実施形態に採用してもよい。
【００４８】
この構成によれば、上記各実施形態での効果に加えて、以下の効果を奏する。
（９）例えば、筐体１２内を露出させるよう開閉可能なカバーを筐体１２に設けるとすると、液体収容体２５がその内部にインクを注入可能に設けられる場合には、隅角に配置することでインクを注入し易くできる。また、液体収容体２５が取替式の場合には、隅角に配置することで取り替え易くできる。
【００４９】
（１０）筐体１２内に液体収容体２５を配置することで、記録装置１１を一体的に取り扱い易い構成とすることができる。
・上記各実施形態において、記録装置１１は、画像読取部１３を備えない構成としてもよい。すなわち、画像読取部１３の底面が、筐体１２の天井部分１２ａを兼ねない構成としてもよい。
【００５０】
・上記各実施形態において、多連チューブ２８を構成する複数のチューブ２６は、それぞれ独立して設けられる構成としてもよい。
・上記第一及び第三実施形態において、突出部３２は備えなくともよい。
【００５１】
・上記各実施形態において、搬送部１６は、ベルトコンベヤで構成されていてもよい。
・上記各実施形態において、固定部材は、チューブ２６を吊り下げることで固定するフック部材で構成されていてもよい。
【００５２】
・上記各実施形態において、媒体は、用紙Ｐに限らず、布帛やプラスチックフィルム等でもよい。
・上記実施形態において、記録装置１１は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００５３】
１１…記録装置、１２…筐体、１２ａ…天井部分、１３…画像読取部、１４…支持台、１５…搬送経路、１６…搬送部、１７…記録ヘッド、１８…ローラー、１９…上流側ガイド部、２０…下流側ガイド部、２１…挿入口、２２…排出口、２３…ガイド軸、２４…キャリッジ、２４ａ…接続部、２５…液体収容体、２６…チューブ、２７…流路、２８…多連チューブ、２９…貫通孔、３０…クランプ部材（固定部材）、３０ａ…連結部、３１…湾曲部、３２…突出部、３３…チューブ保護部材。
【図１】
2017121739.tif 000003
【図２】
2017121739.tif 000004
【図３】
2017121739.tif 000005
【図４】
2017121739.tif 000006
【図５】
2017121739.tif 000007
【図６】
2017121739.tif 000008
【図７】
2017121739.tif 000009
【図８】
2017121739.tif 000010
【図９】
2017121739.tif 000011